(57)【要約】【課題】駆動装置から発する熱による悪影響を抑制できると共に、電磁コアを強固に且つ高精度に保持することができるスターリングサイクル機関を提供する。【解決手段】ケーシング１と、このケーシング１に挿入されるシリンダ７と、このシリンダ７内に摺動可能に挿入されたディスプレイサー８及びピストン１５と、このピストン１５を往復駆動させる駆動装置１６と、前記シリンダ７をケーシング１に固定すると共に前記駆動装置１６を保持するためのアルミニウム製のマウント２７と、このマウントとの間で前記駆動装置１６の電磁コア２０を挟着保持するためのアルミニウム製の固定リング２８とを備える。前記電磁コア２０が鋼鉄等で形成されると共に、前記固定リング２８がアルミニウム製であることから、駆動装置１６が発する熱が、この駆動装置１６から熱伝導性に優れた固定リング２８に移動して前記ケーシング１内で放熱される。【選択図】      図２
2005042594.tif 000002
【特許請求の範囲】
【請求項１】
略円筒状に形成された円筒部を有するケーシングと、このケーシングの円筒部内に同軸状に挿入されるシリンダと、このシリンダの先端側内部に摺動可能に挿入されるディスプレイサーと、前記シリンダの基端側内部に摺動可能に挿入されるピストンと、前記シリンダの基端側外部に配置されて前記ピストンの基端に枠を介して固定される永久磁石を有する可動子及び前記永久磁石の外周側に対向配置される電磁コイルと電磁コアを有する固定子とを有する駆動装置と、前記シリンダの中間位置から外周側に延出するフランジ状のマウントと、このマウントとの間で前記駆動装置の電磁コアを挟持する固定リングとを備え、前記マウントを前記ケーシング内部に固定することで前記シリンダを前記ケーシング内部に固定し、前記マウントと前記固定リングとで挟持することで前記駆動装置を前記シリンダに固定すると共に、前記固定リングを前記電磁コアよりも熱伝導性の良好な材質で形成したことを特徴とするスターリングサイクル機関。
【請求項２】
前記固定リングに、配線保護用の保護ガイドを一体に形成したことを特徴とする請求項１記載のスターリングサイクル機関。
【請求項３】
前記ケーシング内に、前記ディスプレイサー及び／又はピストンと連結されたバネを設けると共に、このバネの振動から前記配線を保護するための保護カバーを前記保護ガイドの端部に取り付けたことを特徴とする請求項２記載のスターリングサイクル機関。
【請求項４】
前記保護カバーが前記保護ガイドと熱的に接すると共に、前記保護カバーを熱伝導性の良好な材質で形成したことを特徴とする請求項３記載のスターリングサイクル機関。
【請求項５】
前記固定リング及び／又は保護ガイドの表面に凹凸を形成したことを特徴とする請求項１乃至４記載のスターリングサイクル機関。
【請求項６】
前記電磁コアと、前記マウント及び／又は前記固定リングとを硬度の異なる材質によって形成すると共に、前記電磁コアとマウントのうち高硬度の材質で形成された一方、及び／又は前記電磁コアと固定リングのうち高硬度の材質で形成された一方に、低硬度の材質で形成された他方に食い込ませる先鋭状の突起部を一体形成したことを特徴とする請求項１記載のスターリングサイクル機関用駆動装置。
【発明の詳細な説明】
【０００１】
【発明の属する技術分野】
本発明は、フリーピストン型のスターリングサイクル機関に関する。
【０００２】
【従来の技術】
従来、この種のスターリングサイクル機関としては、ケーシング内に設けられたシリンダの内部に、ピストン及びディスプレイサーが摺動可能に挿入されると共に、前記ピストンを駆動機構によって往復駆動させるものがあった。前記ピストンを往復駆動する駆動機構は、ピストンの基端に接続される短筒状の枠の一端に固定される永久磁石と、この永久磁石の内周側に位置して磁気的空隙を介して対向配置される導磁部と、前記枠の外周側に位置して磁気的空隙を介して対向配置される電磁コアに巻装する電磁コイルとで構成されている。そして、前記ピストンが前記駆動機構によって駆動されて前記シリンダ内で前記ディスプレイサーに近づく方向に移動すると、前記ピストンとディスプレイサーの間に形成された圧縮室内の気体が圧縮されて、放熱フィン、再生器、吸熱フィンを通り、前記ディスプレイサーの先端と前記ケーシングの先端部との間に形成された膨張室に至ることで、前記ディスプレイサーが前記ピストンに対して所定の位相差をもって押し下げられる。一方、前記ピストンが前記ディスプレイサーから遠ざかる方向に移動すると、前記圧縮室の内部が負圧となり、前記膨張室内の気体が前記吸熱フィン、再生器、放熱フィンを通って前記圧縮室に還流することで、前記ディスプレイサーが前記ピストンに対して所定の位相差をもって押し上げられる。このような工程中において二つの等温変化と等体積変化とからなる可逆サイクルが行われることによって、前記膨張室近傍は低温となり、一方、前記圧縮室近傍は高温となるというものである。そして、前記駆動機構を構成する電磁コアは、前記シリンダの外周側に設けられたマウントと樹脂製のホルダとの間に挟持され、これらマウントとホルダとをビスで締め付けることによって、前記シリンダに対して保持されている。（例えば特許文献１）
【０００３】
【特許文献１】
特開２００１−３５５５１３号公報（段落０００２，００１８）
【０００４】
【発明が解決しようとする課題】
ところで、前記スターリングサイクル機関においては、前述したように、前記駆動装置を構成する電磁コアを固定するために、前記マウントとホルダとで前記電磁コアを挟持してビス等で締め付けているが、前記ホルダが樹脂製であるため、前記駆動装置が発する熱がこの駆動装置から逃げずに籠もってしまい、この籠もった熱によって様々な不具合（例えば、高熱によって前記ホルダが軟化してしまうことで前記電磁コアを固定し続けることができなくなる等）が生じてしまうという問題があった。また、前記ピストンの往復動によって生じる振動によって、前記電磁コアが前記マウントとホルダとの間で軸直方向にずれてしまい、前記駆動機構とシリンダとピストンの同軸性を保てなくなってしまう虞もあった。
【０００５】
そこで、本発明は、駆動装置に熱が籠もらないようにすることで、熱による悪影響を減ずることができるスターリングサイクル機関を提供することを目的とする。また、本発明は、前記電磁コアを強固に且つ高精度に保持することができるスターリングサイクル機関を提供することを目的とする。
【０００６】
【課題を解決するための手段】
請求項１の発明は、略円筒状に形成された円筒部を有するケーシングと、このケーシングの円筒部内に同軸状に挿入されるシリンダと、このシリンダの先端側内部に摺動可能に挿入されるディスプレイサーと、前記シリンダの基端側内部に摺動可能に挿入されるピストンと、前記シリンダの基端側外部に配置されて前記ピストンの基端に枠を介して固定される永久磁石を有する可動子及び前記永久磁石の外周側に対向配置される電磁コイルと電磁コアを有する固定子とを有する駆動装置と、前記シリンダの中間位置から外周側に延出するフランジ状のマウントと、このマウントとの間で前記駆動装置の電磁コアを挟持する固定リングとを備え、前記マウントを前記ケーシング内部に固定することで前記シリンダを前記ケーシング内部に固定し、前記マウントと前記固定リングとで挟持することで前記駆動装置を前記シリンダに固定すると共に、前記固定リングを前記電磁コアよりも熱伝導性の良好な材質で形成したものである。
【０００７】
この請求項１の構成によれば、前記電磁コアを挟持するための固定リングを、前記電磁コアよりも熱伝導性の良好な材質で形成することにより、前記駆動装置が発する熱がこの駆動装置から前記固定リングに移動して前記ケーシング内で放熱される。
【０００８】
また、請求項２の発明は、請求項１において、前記固定リングに、配線保護用の保護ガイドを一体に形成したものである。
【０００９】
この請求項２の構成によれば、前記保護ガイドによって配線が保護されると共に、前記固定リングに移動した熱が前記保護ガイドからも放熱される。
【００１０】
また、請求項３の発明は、請求項２において、前記ケーシング内に、前記ディスプレイサー及び／又はピストンと連結されたバネを設けると共に、このバネの振動から前記配線を保護するための保護カバーを前記保護ガイドの端部に取り付けたものである。
【００１１】
この請求項３の構成によれば、前記保護カバーによって、振動する前記バネに前記配線が接触することが防止される。
【００１２】
また、請求項４の発明は、請求項３において、前記保護カバーが前記保護ガイドと熱的に接すると共に、前記保護カバーを熱伝導性の良好な材質で形成したものである。
【００１３】
この請求項４の構成によれば、前記固定リングから保護ガイドに移動した熱が、前記保護カバーからも放熱される。
【００１４】
また、請求項５の発明は、請求項１乃至４において、前記固定リング及び／又は保護ガイドの表面に凹凸を形成したものである。
【００１５】
この請求項５の構成によれば、前記固定リング及び／又は保護ガイドの表面積が増大することで、前記電磁コアから固定リングに移動した熱が良好に放熱される。
【００１６】
更に、請求項６の発明は、請求項１において、前記電磁コアと、前記マウント及び／又は前記固定リングとを硬度の異なる材質によって形成すると共に、前記電磁コアとマウントのうち高硬度の材質で形成された一方、及び／又は前記電磁コアと固定リングのうち高硬度の材質で形成された一方に、低硬度の材質で形成された他方に食い込ませる先鋭状の突起部を一体形成したものである。
【００１７】
この請求項６の構成によれば、前記先鋭状の突起部が低硬度の材質で形成された他方に食い込むことで、電磁コアとマウント及び／又は電磁コアと固定リングとが、軸直方向にずれない。
【００１８】
【発明の実施形態】
以下、本発明の一実施形態について、添付図を参照して説明する。図１〜図４において、１は略円筒状に形成された円筒部２と胴部３とで構成されるケーシングである。前記円筒部２はステンレス鋼などからなり、基部４と中間部５と先端部６が一体に構成されている。
【００１９】
前記円筒部２の内部には、前記胴部３の内部まで延びるシリンダ７が、前記円筒部２に対して同軸的に挿入されて設けられている。このシリンダ７の先端部６側には、このシリンダ７とは別体の延長シリンダ部７Ａが同軸状に接続されている。そして、前記胴部３側となる前記シリンダ７は、アルミニウム等の金属を用いてダイカスト等の鋳造を行うことによって、後述するマウント２６，２７及び接続用腕部３０と一体に成形されたものであり、鋳造後にシリンダ７の内外周などを切削加工したものである。そして、前記シリンダ７の先端側及び延長シリンダ部７Ａの内側には、ディスプレイサー８が軸方向に摺動可能に収容されている。また、このディスプレイサー８の先端と前記円筒部２の先端部６の間には膨張室Ｅが形成されており、隙間９によって前記延長シリンダ部７Ａの内外が連通されている。また、前記中間部５において、前記円筒部２の内周と前記シリンダ７の外周との間に再生器１０が設けられていると共に、前記基部４において、前記シリンダ７の内外を連通する連通孔１１が前記シリンダ７自体に形成されている。また、前記円筒部２の先端部６の内周と前記延長シリンダ部７Ａの先端外周との間には、吸熱フィン１２が設けられると共に、前記再生器１０と連通孔１１の間において、前記円筒部２の内周と前記シリンダ７の外周との間に放熱フィン１３が設けられている。そして、前記延長シリンダ部７Ａの内部先端から隙間９、吸熱フィン１２、再生器１０、放熱フィン１３、連通孔１１を通って前記シリンダ７内の圧縮室Ｃに至る経路１４が形成されている。更に、前記胴部３内において、前記シリンダ７の基部側の内側には、ピストン１５が軸方向に摺動可能に収容されている。そして、このピストン１５の基端部は、駆動装置１６に対して同軸的に連結されている。この駆動装置１６は、ピストン１５の基端側外周に位置して前記ピストン１５の基端に接続体１５Ａを介して接続される短筒状の枠１７と、この枠１７の内周面に固定される永久磁石１７Ａを有する可動子１８と、前記永久磁石１７Ａの外周に近接して設けられた環状の電磁コイル１９と電磁コア２０を有する固定子２１と、磁石１７Ａの内周に近接して設けられた導磁部２２とで構成されている。
【００２０】
また前記ピストン１５に枠１７を接続させる接続体１５Ａには、前記ピストン１５の動作を制御するための第一の板バネ２３が接続されている。さらに、前記ディスプレイサー８の基端側には、このディスプレイサー８の動作を制御するためのロッド２４の一端が接続されていると共に、このロッド２４の他端には第二の板バネ２５が接続されている。尚、前記ロッド２４は前記ピストン１５を貫通して延びている。また、前記一対の板バネ２３，２５は、前記胴部３内において前記シリンダ７の基端側の外部に配置されていると共に、前記第一の板バネ２３よりも第二の板バネ２５が前記シリンダ７の基端側から離れた位置に配置されている。尚、前記電磁コイル１９は、鋼鉄などの強磁性金属材料からなる上下一対の電磁コア２０に囲まれるように設けられていると共に、この電磁コア２０は電磁コイル１９等と共に一体化されている。また、各電磁コア２０の軸方向両端には０．１〜０．２ｍｍ程度の突起部２０ｓＡが環状に一体形成されている。
【００２１】
また、前記シリンダ７の中間部の外周面には、該シリンダ７と同軸状に突出するマウント２６が一体に形成されていると共に、このマウント２６よりも基端側の位置に、フランジ状のマウント２７が前記シリンダ７と一体に成形されている。これら一対のマウント２６，２７は間隔をおいて形成されていると共に、前記マウント２６は、前記円筒部２の基部４にＯ−リング２６Ａを介して当接してシリンダ７をケーシング１の円筒部２に固定する。一方、前記マウント２７は、その一側面２７Ａが前記胴部３内部の取付部３Ａに当接してこの取付部３Ａに対して螺子止めされるように構成されていると共に、その他側面２７Ｂに前記駆動装置１６を構成する電磁コア２０の一端が当接するように形成されている。また、前記電磁コア２０の他端には固定リング２８が当接している。この固定リング２８は、前記電磁コア２０より熱伝導性の良好な、例えばアルミニウム等の金属を用いてダイカスト等の鋳造によって成形されている。この固定リング２８と前記マウント２７とで前記電磁コア２０を挟持してビス２９によって締め付けることによって、前記電磁コア２０、ひいてはこの電磁コア２０と一体化している前記電磁コイル１９が前記マウント２７に固定される。この際、鋼鉄製の各電磁コア２０の軸方向両端に形成された突起部２０Ａが、鋼鉄よりも軟らかいアルミニウム製のマウント２７及び固定リング２８にそれぞれ食い込み、これらマウント２７、固定リング２８、電磁コア２０の三者が強固に一体化される。更に、前記マウント２７の他側面２７Ｂから、複数の接続用腕部３０が前記シリンダ７の軸方向と略平行に突設されている。なお、前記接続用腕部３０は、基端３０Ａにおいて前記マウント２７と一体に形成されている。そして、接続用腕部３０の先端部に、前記第一の板バネ２３がスペーサー３１によって取り付けられていると共に、このスペーサー３１に対して、前記第二の板バネ２５がビス３２によって取り付けられている。さらに、図２に示すように、固定リング２８にはケーシング１の底部に装着したコネクタ３３から延びる配線３４を保護する複数の保護ガイド３５が、前記接続用腕部３０と略平行に突設され、この保護ガイド３５の先端部に、熱伝導性に優れたアルミニウム等の金属を用いてダイカスト等の鋳造によって成形された保護カバー３６が熱的に接触した状態でビス３７によって固定されている。この保護カバー３６により、振動する前記第一及び第二の板バネ２３，２５と前記配線３４との接触を防止するようにしている。また、前記固定リング２８の表面にはリブ状の凹凸３８が形成されており、前記電磁コア２０から固定リング２８に移動した熱が良好に放熱されるようになっていると共に、前記凹凸３８がリブ状に形成されていることによって、前記固定リング２８の強度も向上している。
【００２２】
尚、図中３９はケーシング１の他端に設けた振動吸収ユニットであり、前記シリンダ７の軸線上に配置された連結部４０を介して、複数の板バネ４１とバランスウエイト４２が同軸状に重なるように配置されている。
【００２３】
従って、前記シリンダ７は、前記マウント２６を円筒部２の基部４の内側にＯ−リング２６Ａを介して当接させると共に、前記マウント２７の一側面２７Ａを前記胴部３内部の取付部３Ａに当接させてこの取付部３Ａに対してビス２７Ｃによって螺子止めすることで、前記ケーシング１に対して固定される。この際、前記マウント２６が円筒部２の内面にＯ−リング２６Ａを介して当接することで、前記シリンダ７を円筒部２に対して同軸に配置することができる。また、前記シリンダ７は、このシリンダ７の基端側の外周に導磁部２２を取り付けると共に、前記シリンダ７と一体に形成されたマウント２７に対して、前記固定リング２８及びビス２９によって、前記駆動装置１６を構成する電磁コイル１９及び電磁コア２０を固定する。これにより、マウント２７と固定リング２８とで前記電磁コア２０が挟持される。この際、硬度の高い鋼鉄製の電磁コア２０の軸方向両端に形成される先鋭状の突起部２０Ａが、硬度の低いアルミニウム製のマウント２７及び固定リング２８に食い込み、これらマウント２７、固定リング２８、電磁コア２０が強固に一体化される。更に、前記シリンダ７内に前記ディスプレイサー８、ピストン１５等を組み込み、このピストン１５の基端の接続体１５Ａに取り付けられた第一の板バネ２３を前記腕部３０とスペーサー３１との間で挟持して固定すると共に、前記ディスプレイサー８に接続されたロッド２４の他端に接続された第二の板バネ２５を前記スペーサー３１の他端にビス３２によって固定する。さらに、固定リング２８に形成された保護ガイド３５の先端部に保護カバー３６を熱的に接触した状態でビス３７によって固定した後、前記胴部３と円筒部２を接続し、予め組み立てられた振動吸収ユニット３９を前記胴部３に取り付ける。
【００２４】
そして、前記構成により、前記電磁コイル１９に交流電流を流すと、この電磁コイル１９から交番磁界が発生して電磁コア２０で集中し、この交番磁界によって、前記永久磁石１７Ａを軸方向に往復動させる力が生じる。この力によって、前記永久磁石１７Ａを固定した支持体１７に接続されたピストン１５がシリンダ７内を軸方向に往復動する。そして、前記ピストン１５が前記ディスプレイサー８に近づく方向に移動すると、前記ピストン１５とディスプレイサー８との間に形成された圧縮室Ｃ内の気体が圧縮されて、前記連通孔１１、放熱フィン１３、再生器１０、吸熱フィン１２、隙間９を通り、前記ディスプレイサー８の先端と円筒部２の先端部６の間に形成された膨張室Ｅに至ることで、前記ディスプレイサー８が前記ピストン１５に対して所定の位相差をもって押し下げられる。一方、前記ピストン１５が前記ディスプレイサー８から遠ざかる方向に移動すると、前記圧縮室Ｃの内部が負圧となり、前記膨張室Ｅ内の気体がこの膨張室Ｅから前記隙間９、吸熱フィン１２、再生器１０、放熱フィン１３、連通孔１１を通って前記圧縮室Ｃに還流することで、前記ディスプレイサー８が前記ピストン１５に対して所定の位相差をもって押し上げられる。このような工程中において二つの等温変化と等体積変化とからなる可逆サイクルが行われることによって、前記膨張室Ｅの近傍は低温となり、一方、前記圧縮室Ｃの近傍は高温となる。
【００２５】
このように、圧縮室Ｃの近傍は高温となり、また、駆動装置１６からも発熱されるが、マウント２７と固定リング２８が前記電磁コア２０よりも熱伝導性の良好な材質で形成されているため、圧縮室Ｃから発する熱がマウント２７に移動すると共に、駆動装置１６から発する熱が、この駆動装置１６の熱源である前記電磁コイル１９から前記電磁コア２０を経て前記固定リング２８に移動して、前記ケーシング１内で放熱され、前記電磁コア２０、ひいては前記駆動装置１６の温度が過度に高くならないように保つことで、熱による悪影響を減ずることができる。さらに、固定リング２８の表面には凹凸３８が形成されると共に、固定リング２８には、配線３４を保護するための保護ガイド３５が一体に形成されているので、凹凸３８により固定リング２８の表面積が増大することで、電磁コア２０から固定リング２８に移動した熱が良好に放熱され、さらに、前記固定リング２８に移動した熱が前記保護ガイド３５からも放熱されるので、駆動装置１６の発する熱を効率的に放熱することができる。また、前記凹凸３８がリブ状に形成されていることによって、前記固定リング２８の強度を高めることができる。さらに、前記保護ガイド３５によって前記配線３４が保護されると共に、前記保護ガイド３５の先端部に保護カバー３６が熱的に接触した状態でビス３７によって固定されるので、前記固定リング２８から保護ガイド３５に移動した熱が、この保護カバー３６からも放熱されることで、一層、前記駆動装置１６の発する熱を効率的に放熱することができると共に、前記保護カバー３６によって、振動する第一及び第二の板バネ２３，２５と配線３４とが接触することが防止されるので、配線３４の損傷を防止することができる。
【００２６】
また、マウント２７と固定リング２８とで前記電磁コア２０を挟持して固定する際、硬度の高い鋼鉄製の電磁コア２０の軸方向両端に形成された先鋭状の突起部２０Ａが、硬度の低いアルミニウム製のマウント２７及び固定リング２８に食い込むことで、前記電磁コア２０とマウント２７及び固定リング２８とが軸直方向にずれることなく強固に固定されるので、前記ピストン１５の往復動によって振動が生じたとしても、前記駆動装置１６とシリンダ７とピストン１５の同軸性を保つことができる。
【００２７】
尚、本発明は上記実施形態に限定されるものではなく、本発明の要旨の範囲内において、種々の変形実施が可能である。例えば、上述した実施形態においては、鋼鉄製の電磁コア２０を用い、これを組み付ける前記マウント２７及び固定リング２８をアルミニウム等でダイカスト等の鋳造をすることによって成形した例を示したが、これらの材料は適宜選定すればよく、要は、前記固定リング２８を構成する材質の熱伝導率が前記電磁コア２０を構成する材質の熱伝導率よりも高く、且つ、前記マウント２７を構成する材質と前記電磁コア２０を構成する材質の硬度、及び／又は前記固定リング２８を構成する材質と前記電磁コア２０を構成する材質の硬度が異なっていればよい。さらに、前記実施例では、前記電磁コア２０に突起部２０Ａを形成し、これをマウント２７と固定リング２８に食い込ませた例を示したが、マウント２７と固定リング２８に突起部を形成して電磁コア２０に食い込ませるようにしてもよく、また、前記電磁コア２０の軸方向一端に形成された突起部２０Ａを前記マウント２７と固定リング２８の一方に食い込ませると共に、前記マウント２７と固定リング２８の他方に形成された突起部を前記電磁コア２０の軸方向他端に食い込ませるようにしてもよい。
【００２８】
【発明の効果】
請求項１の発明は、略円筒状に形成された円筒部を有するケーシングと、このケーシングの円筒部内に同軸状に挿入されるシリンダと、このシリンダの先端側内部に摺動可能に挿入されるディスプレイサーと、前記シリンダの基端側内部に摺動可能に挿入されるピストンと、前記シリンダの基端側外部に配置されて前記ピストンの基端に枠を介して固定される永久磁石を有する可動子及び前記永久磁石の外周側に対向配置される電磁コイルと電磁コアを有する固定子とを有する駆動装置と、前記シリンダの中間位置から外周側に延出するフランジ状のマウントと、このマウントとの間で前記駆動装置の電磁コアを挟持する固定リングとを備え、前記マウントを前記ケーシング内部に固定することで前記シリンダを前記ケーシング内部に固定し、前記マウントと前記固定リングとで挟持することで前記駆動装置を前記シリンダに固定すると共に、前記固定リングを前記電磁コアよりも熱伝導性の良好な材質で形成したものであり、前記駆動装置が発する熱がこの駆動装置から前記固定リングに移動して前記ケーシング内で放熱されるので、前記電磁コア、ひいては前記駆動装置の温度が過度に高くならないように保ち、熱による悪影響を減ずることができる。
【００２９】
また、請求項２の発明は、請求項１において、前記固定リングに、配線保護用の保護ガイドを一体に形成したものであり、前記保護ガイドによって配線が保護されると共に、前記固定リングに移動した熱が前記保護ガイドからも放熱されるので、配線が傷つくことを防止することができるばかりでなく、放熱面積が増大することで駆動装置の発する熱を効率的に放熱することができる。
【００３０】
また、請求項３の発明は、請求項２において、前記ケーシング内に、前記ディスプレイサー及び／又はピストンと連結されたバネを設けると共に、このバネの振動から前記配線を保護するための保護カバーを前記保護ガイドの端部に取り付けたものであり、前記保護カバーによって、振動する前記バネに前記配線が接触することが防止されるので、配線が傷つくことを防止することができる。
【００３１】
また、請求項４の発明は、請求項３において、前記保護カバーが前記保護ガイドと熱的に接すると共に、前記保護カバーを熱伝導性の良好な材質で形成したものであり、前記固定リングから保護ガイドに移動した熱が、前記保護カバーからも放熱されるので、放熱面積がより増大することで駆動装置の発する熱をより効率的に放熱することができる。
【００３２】
また、請求項５の発明は、請求項１乃至４において、前記固定リング及び／又は保護ガイドの表面に凹凸を形成したものであり、前記固定リング及び／又は保護ガイドの表面積が増大することで、前記電磁コアから固定リングに移動した熱をより効率的に放熱することができる。
【００３３】
更に、請求項６の発明は、請求項１において、前記電磁コアと、前記マウント及び／又は前記固定リングとを硬度の異なる材質によって形成すると共に、前記電磁コアとマウントのうち高硬度の材質で形成された一方、及び／又は前記電磁コアと固定リングのうち高硬度の材質で形成された一方に、低硬度の材質で形成された他方に食い込ませる先鋭状の突起部を一体形成したものであり、前記先鋭状の突起部が低硬度の材質で形成された他方に食い込むことで、電磁コアとマウント及び／又は電磁コアと固定リングとが、軸直方向にずれないので、前記ピストンの往復動によって振動が生じたとしても、前記駆動機構とシリンダとピストンの同軸性を保つことができる。
【図面の簡単な説明】
【図１】本発明の一実施形態を示す全体断面図である。
【図２】本発明の一実施形態を示す、図１とは切断方向が異なる、一部を省略した断面図である。
【図３】本発明の一実施形態を示す、電磁コアの固定状態を示す要部の拡大断面図である。
【図４】本発明の一実施形態を示す固定リングの底面図である。
【符号の説明】
１  ケーシング
２  円筒部
７  シリンダ
８  ディスプレイサー
１５  ピストン
１６  駆動機構
１７  枠
１７Ａ  永久磁石
１８  可動子
１９  電磁コイル
２０  電磁コア
２０Ａ  突起部
２１  固定子
２３  第一の板バネ
２５  第二の板バネ
２６，２７  マウント
２８  固定リング
３４  配線
３５  保護ガイド
３６  保護カバー
３８  凹凸
【図１】
2005042594.tif 000003
【図２】
2005042594.tif 000004
【図３】
2005042594.tif 000005
【図４】
2005042594.tif 000006
【手続補正書】
【提出日】平成16年9月2日(2004.9.2)
【手続補正１】
【補正対象書類名】明細書
【補正対象項目名】特許請求の範囲
【補正方法】変更
【補正の内容】
【特許請求の範囲】
【請求項１】
略円筒状に形成された円筒部を有するケーシングと、このケーシングの円筒部内に同軸状に挿入されるシリンダと、このシリンダの先端側内部に摺動可能に挿入されるディスプレイサーと、前記シリンダの基端側内部に摺動可能に挿入されるピストンと、前記シリンダの基端側外部に配置されて前記ピストンの基端に枠を介して固定される永久磁石を有する可動子及び前記永久磁石の外周側に対向配置される電磁コイルと電磁コアを有する固定子とを有する駆動装置と、前記シリンダの中間位置から外周側に延出するフランジ状のマウントと、このマウントとの間で前記駆動装置の電磁コアを挟持すると共に配線保護用の保護ガイドを一体に形成した固定リングとを備え、前記マウントを前記ケーシング内部に固定することで前記シリンダを前記ケーシング内部に固定し、前記マウントと前記固定リングとで挟持することで前記駆動装置を前記シリンダに固定すると共に、前記固定リングを前記電磁コアよりも熱伝導性の良好な材質で形成したことを特徴とするスターリングサイクル機関。
【請求項２】
前記ケーシング内に、前記ディスプレイサー及び／又はピストンと連結されたバネを設けると共に、このバネの振動から前記配線を保護するための保護カバーを前記保護ガイドの端部に取り付けたことを特徴とする請求項１記載のスターリングサイクル機関。
【請求項３】
前記保護カバーが前記保護ガイドと熱的に接すると共に、前記保護カバーを熱伝導性の良好な材質で形成したことを特徴とする請求項２記載のスターリングサイクル機関。
【請求項４】
前記固定リング及び／又は保護ガイドの表面に凹凸を形成したことを特徴とする請求項１乃至３記載のスターリングサイクル機関。
【請求項５】
前記電磁コアと、前記マウント及び／又は前記固定リングとを硬度の異なる材質によって形成すると共に、前記電磁コアとマウントのうち高硬度の材質で形成された一方、及び／又は前記電磁コアと固定リングのうち高硬度の材質で形成された一方に、低硬度の材質で形成された他方に食い込ませる先鋭状の突起部を一体形成したことを特徴とする請求項１記載のスターリングサイクル機関用駆動装置。
【手続補正２】
【補正対象書類名】明細書
【補正対象項目名】０００６
【補正方法】変更
【補正の内容】
【０００６】
【課題を解決するための手段】
請求項１の発明は、略円筒状に形成された円筒部を有するケーシングと、このケーシングの円筒部内に同軸状に挿入されるシリンダと、このシリンダの先端側内部に摺動可能に挿入されるディスプレイサーと、前記シリンダの基端側内部に摺動可能に挿入されるピストンと、前記シリンダの基端側外部に配置されて前記ピストンの基端に枠を介して固定される永久磁石を有する可動子及び前記永久磁石の外周側に対向配置される電磁コイルと電磁コアを有する固定子とを有する駆動装置と、前記シリンダの中間位置から外周側に延出するフランジ状のマウントと、このマウントとの間で前記駆動装置の電磁コアを挟持すると共に配線保護用の保護ガイドを一体に形成した固定リングとを備え、前記マウントを前記ケーシング内部に固定することで前記シリンダを前記ケーシング内部に固定し、前記マウントと前記固定リングとで挟持することで前記駆動装置を前記シリンダに固定すると共に、前記固定リングを前記電磁コアよりも熱伝導性の良好な材質で形成したものである。


【手続補正３】
【補正対象書類名】明細書
【補正対象項目名】０００７
【補正方法】変更
【補正の内容】
【０００７】
この請求項１の構成によれば、前記電磁コアを挟持するための固定リングを、前記電磁コアよりも熱伝導性の良好な材質で形成することにより、前記駆動装置が発する熱がこの駆動装置から前記固定リングに移動して前記ケーシング内で放熱される。また、前記保護ガイドによって配線が保護されると共に、前記固定リングに移動した熱が前記保護ガイドからも放熱される。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
また、請求項２の発明は、請求項１において、前記ケーシング内に、前記ディスプレイサー及び／又はピストンと連結されたバネを設けると共に、このバネの振動から前記配線を保護するための保護カバーを前記保護ガイドの端部に取り付けたものである。


【手続補正７】
【補正対象書類名】明細書
【補正対象項目名】００１１
【補正方法】変更
【補正の内容】
【００１１】
この請求項２の構成によれば、前記保護カバーによって、振動する前記バネに前記配線が接触することが防止される。


【手続補正８】
【補正対象書類名】明細書
【補正対象項目名】００１２
【補正方法】変更
【補正の内容】
【００１２】
また、請求項３の発明は、請求項２において、前記保護カバーが前記保護ガイドと熱的に接すると共に、前記保護カバーを熱伝導性の良好な材質で形成したものである。


【手続補正９】
【補正対象書類名】明細書
【補正対象項目名】００１３
【補正方法】変更
【補正の内容】
【００１３】
この請求項３の構成によれば、前記固定リングから保護ガイドに移動した熱が、前記保護カバーからも放熱される。


【手続補正１０】
【補正対象書類名】明細書
【補正対象項目名】００１４
【補正方法】変更
【補正の内容】
【００１４】
また、請求項４の発明は、請求項１乃至３において、前記固定リング及び／又は保護ガイドの表面に凹凸を形成したものである。


【手続補正１１】
【補正対象書類名】明細書
【補正対象項目名】００１５
【補正方法】変更
【補正の内容】
【００１５】
この請求項４の構成によれば、前記固定リング及び／又は保護ガイドの表面積が増大することで、前記電磁コアから固定リングに移動した熱が良好に放熱される。


【手続補正１２】
【補正対象書類名】明細書
【補正対象項目名】００１６
【補正方法】変更
【補正の内容】
【００１６】
更に、請求項５の発明は、請求項１において、前記電磁コアと、前記マウント及び／又は前記固定リングとを硬度の異なる材質によって形成すると共に、前記電磁コアとマウントのうち高硬度の材質で形成された一方、及び／又は前記電磁コアと固定リングのうち高硬度の材質で形成された一方に、低硬度の材質で形成された他方に食い込ませる先鋭状の突起部を一体形成したものである。


【手続補正１３】
【補正対象書類名】明細書
【補正対象項目名】００１７
【補正方法】変更
【補正の内容】
【００１７】
この請求項５の構成によれば、前記先鋭状の突起部が低硬度の材質で形成された他方に食い込むことで、電磁コアとマウント及び／又は電磁コアと固定リングとが、軸直方向にずれない。


【手続補正１４】
【補正対象書類名】明細書
【補正対象項目名】００２０
【補正方法】変更
【補正の内容】
【００２０】
また前記ピストン15に枠17を接続させる接続体15Ａには、前記ピストン15の動作を制御するための第一の板バネ23が接続されている。さらに、前記ディスプレイサー８の基端側には、このディスプレイサー８の動作を制御するためのロッド24の一端が接続されていると共に、このロッド24の他端には第二の板バネ25が接続されている。尚、前記ロッド24は前記ピストン15を貫通して延びている。また、前記一対の板バネ23，25は、前記胴部３内において前記シリンダ７の基端側の外部に配置されていると共に、前記第一の板バネ23よりも第二の板バネ25が前記シリンダ７の基端側から離れた位置に配置されている。尚、前記電磁コイル19は、鋼鉄などの強磁性金属材料からなる上下一対の電磁コア20に囲まれるように設けられていると共に、この電磁コア20は電磁コイル19等と共に一体化されている。また、各電磁コア20の軸方向両端には0.1〜0.2mm程度の突起部20Ａが環状に一体形成されている。


【手続補正１５】
【補正対象書類名】明細書
【補正対象項目名】００２８
【補正方法】変更
【補正の内容】
【００２８】
【発明の効果】
請求項１の発明は、略円筒状に形成された円筒部を有するケーシングと、このケーシングの円筒部内に同軸状に挿入されるシリンダと、このシリンダの先端側内部に摺動可能に挿入されるディスプレイサーと、前記シリンダの基端側内部に摺動可能に挿入されるピストンと、前記シリンダの基端側外部に配置されて前記ピストンの基端に枠を介して固定される永久磁石を有する可動子及び前記永久磁石の外周側に対向配置される電磁コイルと電磁コアを有する固定子とを有する駆動装置と、前記シリンダの中間位置から外周側に延出するフランジ状のマウントと、このマウントとの間で前記駆動装置の電磁コアを挟持すると共に配線保護用の保護ガイドを一体に形成した固定リングとを備え、前記マウントを前記ケーシング内部に固定することで前記シリンダを前記ケーシング内部に固定し、前記マウントと前記固定リングとで挟持することで前記駆動装置を前記シリンダに固定すると共に、前記固定リングを前記電磁コアよりも熱伝導性の良好な材質で形成したものであり、前記駆動装置が発する熱がこの駆動装置から前記固定リングに移動して前記ケーシング内で放熱されるので、前記電磁コア、ひいては前記駆動装置の温度が過度に高くならないように保ち、熱による悪影響を減ずることができるばかりでなく、前記保護ガイドによって配線が保護されると共に、前記固定リングに移動した熱が前記保護ガイドからも放熱されるので、配線が傷つくことを防止することができるばかりでなく、放熱面積が増大することで駆動装置の発する熱を効率的に放熱することができる。
【手続補正１６】
【補正対象書類名】明細書
【補正対象項目名】００２９
【補正方法】削除
【補正の内容】
【手続補正１７】
【補正対象書類名】明細書
【補正対象項目名】００３０
【補正方法】変更
【補正の内容】
【００３０】
また、請求項２の発明は、請求項１において、前記ケーシング内に、前記ディスプレイサー及び／又はピストンと連結されたバネを設けると共に、このバネの振動から前記配線を保護するための保護カバーを前記保護ガイドの端部に取り付けたものであり、前記保護カバーによって、振動する前記バネに前記配線が接触することが防止されるので、配線が傷つくことを防止することができる。


【手続補正１８】
【補正対象書類名】明細書
【補正対象項目名】００３１
【補正方法】変更
【補正の内容】
【００３１】
また、請求項３の発明は、請求項２において、前記保護カバーが前記保護ガイドと熱的に接すると共に、前記保護カバーを熱伝導性の良好な材質で形成したものであり、前記固定リングから保護ガイドに移動した熱が、前記保護カバーからも放熱されるので、放熱面積がより増大することで駆動装置の発する熱をより効率的に放熱することができる。


【手続補正１９】
【補正対象書類名】明細書
【補正対象項目名】００３２
【補正方法】変更
【補正の内容】
【００３２】
また、請求項４の発明は、請求項１乃至３において、前記固定リング及び／又は保護ガイドの表面に凹凸を形成したものであり、前記固定リング及び／又は保護ガイドの表面積が増大することで、前記電磁コアから固定リングに移動した熱をより効率的に放熱することができる。


【手続補正２０】
【補正対象書類名】明細書
【補正対象項目名】００３３
【補正方法】変更
【補正の内容】
【００３３】
更に、請求項５の発明は、請求項１において、前記電磁コアと、前記マウント及び／又は前記固定リングとを硬度の異なる材質によって形成すると共に、前記電磁コアとマウントのうち高硬度の材質で形成された一方、及び／又は前記電磁コアと固定リングのうち高硬度の材質で形成された一方に、低硬度の材質で形成された他方に食い込ませる先鋭状の突起部を一体形成したものであり、前記先鋭状の突起部が低硬度の材質で形成された他方に食い込むことで、電磁コアとマウント及び／又は電磁コアと固定リングとが、軸直方向にずれないので、前記ピストンの往復動によって振動が生じたとしても、前記駆動機構とシリンダとピストンの同軸性を保つことができる。